【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
機械的な動作をする機械的駆動部材と、
前記機械的駆動部材を含む全体の各制御を行う第１のシステム制御手段と、
前記第１のシステム制御手段とは独立に設けられてなる第２のシステム制御手段とを備え、
前記第２のシステム制御手段は、前記第１のシステム制御手段への電源の投入に伴って、前記第１の制御手段が全体の制御動作が可能になるまでの期間、前記第１のシステム制御手段による制御と独立に前記機械的駆動部材を制御することを特徴とする電子機器。
【請求項２】
前記第１のシステム制御手段は中央処理装置であり、電源が投入されることによってＯＳを起動可能な状態にした後、制御用アプリケーションを動作させることを特徴とする請求項１に記載の電子機器。
【請求項３】
前記第２のシステム制御手段はハードワイアードロジックであることを特徴とする請求項１又は２に記載の電子機器。
【請求項４】
前記第２のシステム制御手段は中央処理装置であり、常時通電されていることを特徴とする請求項１〜３のいずれか１項に記載の電子機器。
【請求項５】
前記第１のシステム制御手段の動作速度は、前記第２のシステム制御手段の動作速度より速いことを特徴とする請求項１〜４のいずれか１項に記載の電子機器。
【請求項６】
前記第２のシステム制御手段は、前記第１のシステム制御手段より消費電力が低いことを特徴とする請求項１〜５のいずれか１項に記載の電子機器。
【請求項７】
ディジタルスチルカメラであることを特徴とする請求項１〜６のいずれか１項に記載の電子機器。
【請求項８】
前記機械的駆動部材は、ディジタルスチルカメラの光学系を保護するレンズバリアであることを特徴とする請求項７に記載の電子機器。
【請求項９】
前記機械的駆動部材は、ディジタルスチルカメラの沈胴光学系であることを特徴とする請求項７又は８に記載の電子機器。
【請求項１０】
前記第２のシステム制御手段による前記期間内における前記機械的駆動部材の制御動作は、前記レンズバリアの開き動作であることを特徴とする請求項８又は９に記載の電子機器。
【請求項１１】
前記第２のシステム制御手段による前記期間内における前記機械的駆動部材の制御動作は、前記沈胴光学系のレンズ繰り出し動作であることを特徴とする請求項９又は１０に記載の電子機器。
【請求項１２】
前記第２のシステム制御手段は、前記第１のシステム制御手段への電源供給を開始した後、所定の時間以内に前記第１のシステム制御手段から起動できたことが通知されない場合、前記機械駆動部材を前記制御をする以前の状態に復帰させ、前記第１のシステム制御手段への電源供給を停止することを特徴とする請求項１〜１１のいずれか１項に記載の電子機器。
【請求項１３】
前記所定の時間は、前記第１のシステム制御手段への電源供給を開始してから前記第１のシステム制御手段のＯＳが起動を終了するまでの時間より長時間であることを特徴とする請求項１２に記載の電子機器。
【請求項１４】
携帯時と使用時とで形態の異なる電子機器において、
全体制御を行う第１のシステム制御手段と、
前記第１のシステム制御手段への電源供給の制御を行うと共に、前記携帯時の形態から前記使用時の形態への移行を制御する第２のシステム制御手段とを備え、
前記第２のシステム制御手段は、前記第１のシステム制御手段への電源供給を開始するのとほぼ同時期に、前記携帯時の形態から前記使用時の形態への移行の制御を行うことを特徴とする電子機器。
【請求項１５】
撮影レンズを備えるディジタルスチルカメラであることを特徴とする請求項１４に記載の電子機器。
【請求項１６】
前記携帯時の形態は、前記撮影レンズがカメラ本体内に収納され、撮影不可能な状態であることを特徴とする請求項１５に記載の電子機器。
【請求項１７】
前記使用時の形態は、前記撮影レンズが可能な限り広角側に位置し、撮影可能な状態であることを特徴とする請求項１５又は１６に記載の電子機器。
【請求項１８】
撮影レンズを保護するレンズバリアを備えていることを特徴とする請求項１５〜１７に記載の電子機器。
【請求項１９】
前記使用時の形態は、前記撮影レンズを保護するレンズバリアが開いており、撮影可能な状態であることを特徴とする請求項１８に記載の電子機器。
【請求項２０】
前記携帯時の形態は、前記撮影レンズを保護するレンズバリアが閉じており、撮影不可能な状態であることを特徴とする請求項１８に記載の電子機器。
【請求項２１】
機械的駆動部材を含む全体の各制御を実行する電子機器の駆動方法において、
前記各主要制御のための電源供給の制御を前記制御手段に対して行うと共に、前記制御手段によって全体の制御動作が可能になるまでの期間、前記機械的駆動部材を制御することを特徴とする電子機器の駆動方法。
【請求項２２】
請求項１〜２０の何れか１項に記載の電子機器の各手段としてコンピュータを機能させるためのプログラムを記憶したことを特徴とするコンピュータ読み取り可能な記憶媒体。
【請求項２３】
請求項２１に記載の電子機器の駆動方法をコンピュータに実行させるためのプログラムを記憶したことを特徴とするコンピュータ読み取り可能な記憶媒体。
【請求項２４】
被写体像を撮像し電気的な画像信号を出力する撮像手段と、
前記被写体像を前記撮像手段に結像するレンズ手段と、
前記結像された被写体像を上記撮像手段に露出する露出手段と、
前記レンズ手段及び露出手段を機械的に駆動する駆動手段と、
前記画像信号を処理して画像データを生成する信号処理手段と、
前記画像データを記憶する記憶手段と、
前記記憶手段に記憶された画像データをファイルとして記憶媒体に格納するファイルシステム手段と、
前記撮像手段の起動操作を行う起動操作手段と、
前記起動操作に応じて前記駆動手段の初期化動作と前記信号処理手段の初期化動作と上記ファイルシステム手段の初期化動作とを並列して起動し、前記駆動手段及び信号処理手段の各初期化動作が完了した時点で、前記撮像手段の撮像を可能とする制御手段とを設けたこと特徴とする撮像装置。
【請求項２５】
前記起動操作に応じて前記制御手段により有効とされる所定の操作手段を設け、前記所定の操作手段を操作することにより、前記レンズ手段、露光手段によるレンズズーム動作、ＡＦ動作、ＡＥ動作、前記撮像手段の駆動、ストロボ充電動作、ＥＦ動作、電子ファインダ動作の少なくとも一つの動作を可能とすることを特徴とする請求項２４に記載の撮像装置。
【請求項２６】
前記記憶媒体は、撮像装置に固定的に内蔵されたものであることを特徴とする請求項２４に記載の撮像装置。
【請求項２７】
前記記憶媒体は、撮像装置に着脱可能であることを特徴とする請求項２４に記載の撮像装置。
【請求項２８】
前記ファイルシステム手段の初期化動作においては、前記記憶媒体からこの記憶媒体に関する情報を取得することを特徴とする請求項２４に記載の撮像装置。
【請求項２９】
前記記憶媒体に関する情報は、この記憶媒体の種別情報、全体容量、現在までの使用容量、現在の空き容量、ファイルフォーマット、現在の最新ファイル情報の少なくとも１つであることを特徴とする請求項２８に記載の撮像装置。
【請求項３０】
前記ファイルシステム手段の初期化動作が完了する前に撮像され信号処理された画像データは、前記記憶媒体に格納されることなく前記記憶手段に一時的に格納され、前記初期化動作完了後に前記記憶手段からファイルとして前記記憶媒体に格納されることを特徴とする請求項２４に記載の撮像装置。
【請求項３１】
前記記億手段に一時的に格納された画像データを書き込むだけの空き容量が前記記憶媒体に存在しないときは書き込みを行わないことを特徴とする請求項３０に記載の撮像装置。
【請求項３２】
前記空き容量が前記記憶媒体に存在しないことを使用者に通知する通知手段を設けたことを特徴とする請求項３１に記載の撮像装置。
【請求項３３】
前記記憶媒体の交換又は消去等により前記記憶媒体に前記画像データを記憶媒体に書き込むだけの空き容量ができたとき、前記一時的に格納されていた画像データを前記記憶媒体に書き込むことを特徴とする請求項３１に記載の撮像装置。
【請求項３４】
前記記憶手段は、不揮発性記憶手段であることを特徴とする請求項２４に記載の撮像装置。
【請求項３５】
前記ファイルシステム手段の初期化動作が完了する前に前記所定の操作手段により前記少なくとも一つ動作が行われ、その後、前記ファイルシステム手段の初期化動作完了後に直ちに撮像動作を行うことを特徴とする請求項２５に記載の撮像装置。
【請求項３６】
前記制御手段は、前記駆動手段、信号処理手段及びファイルシステム手段の各初期化動作を並列に行うことを特徴とする請求項２４に記載の撮像装置。
【請求項３７】
前記制御手段は、前記各初期化動作を並列に行うために複数のマイクロコンピュータを用いることを特徴とする請求項３６に記載の撮像装置。
【請求項３８】
前記制御手段は、前記各初期化動作を並列に行うために、前記各初期化動作からの割り込み処理によるリアルタイムマルチタスクモニタシステムを使用することを特徴とする請求項３６又は３７に記載の撮像装置。
【請求項３９】
前記制御手段は、前記各初期化動作を並列に行うために、前記ファイルシステム手段の初期化時の上記記憶媒体からのデータ転送をＤＭＡ（Ｄｉｒｅｃｔ  Ｍｅｍｏｒｙ  Ａｃｃｅｓｓ）により行っている空き時間に、前記駆動手段と信号処理手段の各初期化動作を実行することを特徴とする請求項３６又は３７に記載の撮像装置。
【請求項４０】
前記制御手段は、前記各初期化動作を並列に行うために、時分割処理により前記駆動手段及び信号処理手段の各初期化動作を実行することを特徴とする請求項３６又は３７に記載の撮像装置。
【請求項４１】
撮像動作の起動操作に応じてレンズ手段と露出手段を機械的に駆動する駆動手段の初期化動作と、撮像された画像信号を処理する信号処理手段の初期化動作と、前記処理された画像データを記憶媒体にファイルするファイルシステムの初期化動作とを並列して起動し、前記駆動手段及び信号処理手段の各初期化動作が完了した時点で撮像を可能とすることを特徴とする撮像方法。
【請求項４２】
撮像手段により被写体を撮像し電気的な画像信号を出力する処理と、
レンズ手段により前記被写体像を前記撮像手段に結像する処理と、
露出手段により前記結像された被写体像を前記撮像手段に露出する処理と、
駆動手段により前記レンズ手段及び露出手段を機械的に駆動する処理と、
前記画像信号を処理して画像データを生成する処理と、
前記画像データを記憶する処理と、
前記記憶された画像データをファイルとして記憶媒体に格納する処理と、
前記撮像手段の起動操作を行う処理と、
前記起動操作に応じて前記駆動手段の初期化動作と前記画像信号処理の初期化動作と前記ファイルシステム処理の初期化動作とを並列して起動し、前記駆動手段及び画像信号処理の各初期化動作が完了した時点で前記撮像手段の撮像を可能とする処理とをコンピュータに実行させるためのプログラムを記憶したことを特徴とするコンピュータ読み取り可能な記憶媒体。
【手続補正２】
【補正対象書類名】明細書
【補正対象項目名】００２５
【補正方法】変更
【補正の内容】
【００２５】
また、本発明による他の記憶媒体においては、撮像手段により被写体を撮像し電気的な画像信号を出力する処理と、レンズ手段により前記被写体像を前記撮像手段に結像する処理と、露出手段により前記結像された被写体像を前記撮像手段に露出する処理と、駆動手段により前記レンズ手段及び露出手段を機械的に駆動する処理と、前記画像信号を処理して画像データを生成する処理と、前記画像データを記憶する処理と、前記記憶された画像データをファイルとして記憶媒体に格納する処理と、前記撮像手段の起動操作を行う処理と、前記起動操作に応じて前記駆動手段の初期化動作と前記画像信号処理の初期化動作と前記ファイルシステム処理の初期化動作とを並列して起動し、前記駆動手段及び画像信号処理の各初期化動作が完了した時点で前記撮像手段の撮像を可能とする処理とをコンピュータに実行させるためのプログラムを記憶している。